(57)【要約】      （修正有）【課題】簡易な構成であり、且つ装着部への締め付け力を分散させ、使用者への不快な圧迫感を軽減させることが可能な巻き付け型サポータを提供する。【解決手段】巻き付け型サポータは、関節部又はその近傍に配置される基部１００と、基部１００の長さ方向の端部に設けられる延出部１１０と、延出部１１０に取り付けられる接続手段２００とを備え、延出部１１０は長さ方向に沿って配置され、接続手段２００によって、延出部１１０が、基部１００の長さ方向の相対する端部に設けられる他の延出部１１０と接続することで全体が環状となることを特徴とする。【選択図】図１
0003183370.tif 000002
【実用新案登録請求の範囲】
【請求項１】
関節部又はその近傍に配置される基部を備える巻き付け型サポータであって、
前記基部の長さ方向の端部には、それぞれ複数の延出部が設けられ、
前記各延出部は、長さ方向に沿って配置され、
前記複数の延出部のうち、少なくとも一部は、前記基部の相対する側の端部に設けられる他の延出部と接続可能な接続手段を備えており、
前記接続手段によって、前記延出部同士が接続することで、全体が環状となる巻き付け型サポータ。
【請求項２】
前記基部の一端側に設けられる前記延出部と、前記基部の他端側に設けられる前記延出部とが同数である請求項１に記載の巻き付け型サポータ。
【請求項３】
前記基部の一端側又は他端側に、それぞれ５本の前記延出部が設けられる請求項１又は２に記載の巻き付け型サポータ。
【請求項４】
膝関節の可動を補助するため、膝部に装着される請求項１から３のいずれか一項に記載の巻き付け型サポータ。
【考案の詳細な説明】
【技術分野】
【０００１】
本考案は、関節部又はその近傍に装着されるサポータに関し、特に、脚の膝部に巻き付けて使用される巻き付け型サポータに関する。
【背景技術】
【０００２】
炎症が生じた肘や膝などを円滑に可動させる補助具として、炎症部位又はその近傍に装着されるサポータが開発されている。その中で、膝の関節炎等の歩行障害に対して、伸縮性を備える生地を主体とした膝サポータが、使用されている。この膝サポータとして、端部に面ファスナー等が施された細長状の生地からなり、膝部の前側で生地端部を重ね合わせて脚部全体を覆う、巻き付け型の膝サポータが使用されている。
【０００３】
この巻き付け型の膝サポータに関し、下記特許文献１に記載の技術が開示されている。特許文献１に記載の技術は、伸縮性の布シートより成る主体シート及び締め付け補助体とを含み、締め付け補助体が主体シートに重合される構成の膝用サポータである。締め付け補助体を備えることで、膝屈折時の膝のねじれを防ぎ、安定した歩行動作を可能にするものである。
【先行技術文献】
【特許文献】
【０００４】
【特許文献１】特開２０１２−１４３３８８号公報
【考案の概要】
【考案が解決しようとする課題】
【０００５】
しかしながら、特許文献１に記載の技術は、主体シートと締め付け補助体の二シートを重合させる必要があり、生産コストがかかるという課題を有する。また、締め付け補助体は、それが配置される領域のみを押し付けるものであるため、脚部及びその近傍（周辺部位）へ過度に圧力がかかり、使用者に不快な圧迫感を与える可能性がある。
【課題を解決するための手段】
【０００６】
上記課題に鑑み、本考案は、関節部又はその近傍に配置される基部を備え、
前記基部の長さ方向の端部には、それぞれ複数の延出部が設けられ、
前記各延出部は、長さ方向に沿って配置され、
前記複数の延出部のうち、少なくとも一部は、前記基部の相対する側の端部に設けられる他の延出部と接続可能な接続手段を備えており、
前記接続手段によって、前記延出部同士が接続することで、全体が環状となることを特徴とする。
【０００７】
また、本考案は、前記基部の一端側に設けられる前記延出部と、前記基部の他端側に設けられる前記延出部とが同数であることが好ましく、さらに、前記基部の一端側又は他端側に、５本の前記延出部が設けられることが好ましい。また、本考案は、膝関節の可動を補助するため、膝部に装着されることが好ましい。
【考案の効果】
【０００８】
本考案によれば、基部の長さ方向の端部に複数の延出部を設けるという簡易な構成であり、且つ隣接する延出部同士を長さ方向に沿って配置することで、装着部位への締め付け力を分散させ、使用者への不快な圧迫感を軽減させる巻き付け型サポータを提供することができる。
【図面の簡単な説明】
【０００９】
【図１】本実施形態に係る巻き付け型サポータの表面及び裏面図。
【図２】本実施形態に係る巻き付け型サポータの膝部への巻き付け前後を示す図。
【図３】本実施形態に係る巻き付け型サポータの使用状態を示す図。
【考案を実施するための形態】
【００１０】
以下、図面を参照して本考案の望ましい実施形態を詳細に説明する。但し、本考案は多くの異なる態様で実施することが可能であり、以下に示す実施の形態の記載内容に限定して解釈されるものではない。なお、下記では、本考案を膝部に装着して使用する場合について詳細に説明するが、本考案は、膝部以外の、例えば肘部などに装着して使用することも可能である。
【００１１】
まず、図１から図３を参照して、本考案に係る実施形態について詳細に説明する。図１は、本実施形態に係る巻き付け型サポータ１０の表面及び裏面図であり、図２は、本実施形態に係る巻き付け型サポータ１０の膝部への巻き付け前後を示す図である。また、図３は、本実施形態に係る巻き付け型サポータ１０の使用状態を示す図である。
【００１２】
まず、図１を参照して、本実施形態に係る巻き付け型サポータ１０の全体構成を説明する。巻き付け型サポータ１０は、基部１００、延出部１１０、接続手段２００等を含む構成である。
【００１３】
基部１００は、使用時に関節部又はその近傍に配置される部分であり、本考案を膝サポータとして用いる場合は、膝裏に配置される部分である。この基部１００は、伸縮性を有する布生地であることが好ましい。ただし、基部１００の素材は、これに限定されるものではなく、ウレタン系の樹脂やゴムなどであってもよい。また、通気性を有するメッシュ構造のものなどであってもよい。なお、基部１００の構造として、例えば、１枚の生地からなる一層構造であってもよいし、何枚かの生地を積み重ねる積層構造などが考えられる。
【００１４】
基部１００の長さ方向の端部１００Ａ、１００Ｂ（図１の一点鎖線）には、図１に示すように、長さ方向に沿って延びる延出部１１０が設けられる。ここで、上述の「長さ方向に沿って」とは、延出部１１０が、図１の長さ方向に対して正確に平行である場合はもちろん、延出部１１０が、長さ方向に対して傾いていても、その傾きの度合いが、ほぼ平行とみなせる程度のものを含む。
【００１５】
本実施形態では、延出部１１０と基部１００とは、一体的に形成されることが好ましい。ただし、各々別の生地を用い、基部１００の端部１００Ａ、１００Ｂ付近に延出部１１０を縫着させるような構成であってもよいことはもちろんである。
【００１６】
延出部１１０は、基部１００の端部１００Ａ、１００Ｂに複数設けられる。このような配置とすることにより、膝を締め付ける圧力を広い範囲に分散させることができ、使用者への不快な圧迫感を軽減させることが可能であると共に、全体としては適度な圧力が膝部に加わり、歩行補助機能を低下させることがないという効果を有する。
【００１７】
延出部１１０の本数は、上述の圧力分散作用を有し、且つ歩行補助機能の保持又は向上を図ることができるものであれば、特に限定されるものではないが、巻き付け型サポータの幅寸法の関係から、基部１００の端部１００Ａ、１００Ｂに、それぞれ５本ずつ設けられる構成が好ましい。
【００１８】
延出部１１０は、他の延出部１１０と接続可能な接続手段２００を備える。本実施形態では、接続手段２００として、面ファスナーを用いている。ただし、面ファスナー以外であっても、他の延出部１１０との接続機能を有するものであれば、これに限られない。
【００１９】
本実施形態では、接続手段２００は、延出部１１０の裏面側に配置される。巻き付け型サポータ１０を膝部に巻き付けた際、接続手段２００と、基部１００の相対する側の端部から延びる延出部１１０の表面とが重なることで、基部１００の相対する端部１００Ａ、１００Ｂの延出部１１０同士が接続する。これにより、膝部に巻き付けられた巻き付け型サポータ１０が、落下しないよう膝部に固定される。ただし、接続手段２００は、延出部１１０の表面側に配置され、重なり合う他の延出部１１０の裏面側と接続するようにしてもよい。
【００２０】
また、本実施形態では、図１（ｂ）に示すように、端部１００Ｂ側のすべての延出部１１０が、接続手段２００を備えているが、巻き付け型サポータ１０を膝部に巻き付けた際、落下しない形態であれば、これに限られない。ただし、膝部への固定を考慮するならば、図１に示す形態が好ましい。
【００２１】
本実施形態に係る巻き付け型サポータ１０を膝部に装着する場合、まず、図２（ａ）に示すよう、使用者の膝裏に基部１００を重ねるよう配置させ、延出部１１０を膝前側に回す。その後、図２（ｂ）に示すよう、延出部１１０に備わる接続手段２００と、基部１００の相対する側の端部から延びる延出部１１０とが重なって接続し、巻き付け型サポータ１０が、使用者の膝部に固定される。
【００２２】
なお、図３に示すように、本実施形態に係る巻き付け型サポータ１０は、基部１００の端部１００Ａ、１００Ｂのそれぞれに５本の延出部１１０を備える構成である。そのため、図３（ａ）に示すように、膝上に２本ずつ（計４本）、膝下に３本ずつ（計６本）の延出部１１０を配置させてもよいし、これとは異なり、図３（ｂ）に示すように、膝上に３本ずつ（計６本）、膝下に２本ずつ（計４本）の延出部１１０を配置させてもよい。
【００２３】
このように、装着時の延出部１１０の配置に、様々なバリエーションを有するため、使用者の膝の形状や炎症の部位等に応じて、膝上側に配置する延出部１１０の本数と、膝下側に配置する延出部１１０の本数を変えることができる。そのため、使用者毎に異なる要望に柔軟に対応可能な巻き付け型サポータを提供することができる。
【符号の説明】
【００２４】
１０        巻き付け型サポータ
１００      基部
１１０      延出部
２００      接続手段
【図１】
0003183370.tif 000003
【図２】
0003183370.tif 000004
【図３】
0003183370.tif 000005